【事件の表示】
　特許第２９６２６７５号「冷凍装置」の請求項１ないし２４に係る特許に対する特許異議の申立てについて、次のとおり決定する。
【結　論】
　特許第２９６２６７５号の請求項１ないし２４に係る特許を維持する。
【理　由】
１．本件発明
　本件特許第２９６２６７５号（平成２年１１月１６日出願の特願平２−３０８７３６号の分割出願、平成８年２月２０日出願、平成１１年８月６日設定登録）の請求項１ないし請求項２４に係る発明は、特許請求の範囲の請求項１ないし請求項２４に記載された以下のとおりである。
「【請求項１】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項２】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２　の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項３】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項４】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項５】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項６】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項７】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項８】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項９】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項１０】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項１１】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項１２】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷凍装置であり、この冷凍装置は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷凍装置。
【請求項１３】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１４】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２　の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１５】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１６】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１７】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１８】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（３）で示される脂肪酸のエステル油のうち、Ｒ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項１９】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項２０】水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項２１】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項２２】水素化フッ素化炭素（ＨＦＣ）が主成分であり臨界温度が４０℃以上である冷媒と、粘度が４０℃のとき５〜３２ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型高圧容器方式のロータリ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項２３】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（５）で示される脂肪酸のエステル油の群から選ばれる少なくとも１種を含有し、かつ下記の一般式（１）乃至（５）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ２：炭素数５〜１２のアルキル基
Ｒ３：炭素数１〜３のアルキル基
ｎ：０もしくは１〜５の整数
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。
【請求項２４】水素化フッ素化炭素（ＨＦＣ）が主成分であり臨界温度が４０℃以上である冷媒と、粘度が４０℃のとき５〜１５ｃＳｔであり、かつ上臨界温度が８０℃以上である脂肪酸のエステル油を基油とした冷凍機油とを封入した状態で使用される冷蔵庫であり、この冷蔵庫は、前記冷媒を圧縮する密閉型低圧容器方式のレシプロ形圧縮機と、前記冷媒を凝縮させる凝縮器と、前記冷媒を乾燥させる乾燥器と、前記冷媒を膨脹させる膨張機構と、前記冷媒を蒸発させる蒸発器とを備え、前記冷凍機油は、下記の一般式（１）乃至（３）で示される脂肪酸のエステル油の群から選ばれる少なくとも１種を含有し、かつ下記の一般式（１）乃至（３）で示される脂肪酸のエステル油は１種類のアルコールと炭素数の異なる複数種類の脂肪酸から得られＲ２の炭素数が５より小さい炭素数のものを含まない冷凍機油から成り、
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
但し、Ｒ１：Ｈまたは炭素数１〜３のアルキル基
Ｒ２：炭素数５〜１２のアルキル基
前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である冷蔵庫。」
　
２．申立ての理由の概要
（１）特許異議申立人　三菱重工業株式会社は、下記の証拠を提出し、本件請求項１ないし２４に係る発明は、本件出願前に頒布されたことが明らかな刊行物である甲第１号証ないし甲第１１号証に記載された発明に基づいて当業者が容易に発明し得たものであるから、特許法第２９条第２項の規定により特許を受けることができないものであり、したがってこれらの特許は取り消されるべきものであると主張している。
　
　　　　　　　　　　　　　　　　　記
　甲第１号証　川平睦義、「密閉形冷凍機」、社団法人日本冷凍協会、昭和
　　　　　　　５６年７月３０日、第１頁、第１８頁、第１０８頁、第１１
　　　　　　　０〜１１３頁、第１７１頁（以下、「刊行物１」という）
　甲第２号証　国際公開第９０／１２８４９号パンフレット（以下、「刊行
　　　　　　　物２」という）
　甲第３号証　「トライボロジスト」、社団法人日本潤滑学会、１９９０年
　　　　　　　９月１５日、第３５巻、第９号、第２７〜３２頁、（以下、
　　　　　　　「刊行物３」という）
　甲第４号証　「第四回　冷凍・空調および冷凍機油に関するシンポジウム
　　　　　　　　」、共同石油株式会社、日本鉱業株式会社主催、平成元年
　　　　　　　１１月１４日、第６−１〜６−８頁（以下、「刊行物４」と
　　　　　　　いう）
　甲第５号証　D.P.Wilson、R.S.Basu、「Thermodynamic Properties of a 
　　　　　　　new Stratospherically Safe Working Fluid−Refrigerant 
　　　　　　　134a」、ASHRAE Transactions 1988,Vol.94,Part2 、
　　　　　　　第１１５頁（以下、「刊行物５」という）
　甲第６号証　特開昭５５−１５５０９３号公報（以下、「刊行物６」とい
　　　　　　　う）　
　甲第７号証　特開昭６２−２９２８９５号（以下、「刊行物７」という）
　甲第８号証　「トライボロジスト」、社団法人日本トライボロジー学会、
　　　　　　　１９９５年９月１５日、第４０巻、第９号、第１２〜２７頁
　　　　　　　（以下、「刊行物８」という）
　甲第９号証　特開昭５６−１３１５４８号公報（以下、「刊行物９」とい
　　　　　　　う）
　甲第１０号証　特開昭５６−１３３２４１号公報（以下、「刊行物１０」
　　　　　　　　という）
　甲第１１号証　稲葉恵一、平野二郎編著「新版　脂肪酸化学」、幸書房、
　　　　　　　　昭和５６年９月５日、第３６４〜３７５頁（以下、「刊行
　　　　　　　　物１１」という）
　なお、上記刊行物８は、本件出願後に頒布されたものである。
　
（２）特許異議申立人　東芝キャリア株式会社は、下記の証拠を提出し、本件請求項１ないし２４に係る発明は、甲第１号証に記載された発明と同一であるから、特許法第２９条の２の規定により特許を受けることができないものであり、また、本件請求項１ないし２４に係る発明は、本件出願前に頒布されたことが明らかな刊行物である甲第３号証ないし甲第１０号証に記載された発明に基づいて当業者が容易に発明し得たものであるから、特許法第２９条第２項の規定により特許を受けることができないものであり、したがって、これらの特許は取り消されるべきものであると主張している。
　
　　　　　　　　　　　　　　　　　記
　甲第１号証　特願平２−２４３０６９号明細書（以下、「先願明細書１」
　　　　　　　という）
　甲第２号証　特開平５−２０９１７１号公報（以下、「刊行物１２」とい
　　　　　　　う）
　甲第３号証　川平睦義、「密閉形冷凍機」、社団法人日本冷凍協会、昭和
　　　　　　　５６年７月３０日、第１頁、第５頁、第２６〜３３頁、第１
　　　　　　　０８頁〜１１４頁（上記「刊行物１」に同じ）
　甲第４号証　特開昭５７−１５９８９２号公報（以下、「刊行物１３」と
　　　　　　　いう）
　甲第５号証　特表平３−５０５６０２号公報（以下、「刊行物１４」とい
　　　　　　　う）
　甲第６号証　昭和電線電纜株式会社カタログ「昭和のマグネットワイヤー
　　　　　　　」、６１．１１．２、第４頁、第９頁、第１１〜１２頁（以
　　　　　　　下、「刊行物１５」という）
　甲第７号証　昭和電線電纜株式会社　巻線線材事業部　赤司碩史による平
　　　　　　　成１２年３月３１日付証明書（以下、「証明書１」という）
　甲第８号証　「ＪＩＳハンドブック　石油」、財団法人日本規格協会、１
　　　　　　　９８３年４月１２日、第７７〜７８頁（以下、「刊行物１６
　　　　　　　」という）
　甲第９号証　「THE 1990 USNC/IIR-PURDUE REFRIGERATION 
　　　　　　　　CONFERENCE AND THE 1990 ASHRAE-PURDUE 
　　　　　　　　CFC CONFERENCE」、July 17-20 1990 、
　　　　　　　　第１９０〜１９５頁（以下、「刊行物１７ａ」という）
  甲第１０号証　稲葉恵一、平野二郎編著「新版　脂肪酸化学」、幸書房、
　　　　　　　　昭和５６年９月５日、第３６４〜３７５頁（上記「刊行物
　　　　　　　　１１」と同じ）
　なお、上記刊行物１２は上記先願１を基礎とする国内優先出願の公開公報であり、上記刊行物１４は本件出願前に国際公開されたＷＯ９０／１２８４９号に対応する公表特許公報である。
　
（３）特許異議申立人　熊田尚代は、下記の証拠を提出し、本件請求項１ないし２４に係る発明は、甲第１号証に記載された発明と同一であるから、特許法第２９条の２の規定により特許を受けることができないものであり、また、本件請求項１ないし２４に係る発明は、本件出願前に頒布されたことが明らかな刊行物である甲第２号証に記載された発明であるか、甲第２号証ないし甲第５号証に記載された発明に基づいて当業者が容易に発明し得たものであるから、特許法第２９条第１項第３号あるいは同法同条第２項の規定により特許を受けることができないものであり、したがって、これらの特許は取り消されるべきものであると主張している。
　
　　　　　　　　　　　　　　　　　記
　甲第１号証　特願平２−７１８９３の明細書に代えて、特開平３−１２８
　　　　　　　９９２号公報（以下、「先願明細書２」という）
　甲第２号証　特開平２−２７６８９４号公報（以下、「刊行物１８」とい
　　　　　　　う）
　甲第３号証　川平睦義、「密閉形冷凍機」、社団法人日本冷凍協会、昭和
　　　　　　　５６年７月３０日、第１頁、第２６頁、第１０８頁〜１１４
　　　　　　　頁（上記「刊行物１」に同じ）
　甲第４号証　「THE 1990 USNC/IIR-PURDUE REFRIGERATION CONFERENCE 
　　　　　　　AND THE 1990 ASHRAE-PURDUE CFC CONFERENCE」、July 17-
　　　　　　　20 1990 、第１９０〜１９５頁（上記「刊行物１７ａ」と同
　　　　　　　じ）
　甲第５号証　「CFCs：Time of Transition」、Copyright 1989、
　　　　　　　American Society of Heating,Refrigerating and  
　　　　　　　Air-ConditioningEngineers, Inc.、
　　　　　　　第２１１〜２１６頁（以下、「刊行物１９」という）
　甲第６号証　稲葉恵一、平野二郎編著「新版　脂肪酸化学」、幸書房、昭
　　　　　　　和５６年９月５日、第３６８〜３７１頁（上記「刊行物１１
　　　　　　　」と同じ）
　
（４）特許異議申立人　日石三菱株式会社は、下記の証拠を提出し、本件請求項１ないし２４に係る発明は、本件出願前に頒布されたことが明らかな刊行物である甲第１号証ないし甲第１２号証に記載された発明に基づいて当業者が容易に発明し得たものであるから、特許法第２９条第２項の規定により特許を受けることができないものであり、したがって、これらの特許は取り消されるべきものであると主張している。
　
　　　　　　　　　　　　　　　　　記
　甲第１号証　K.S.Sanvordenker、「Materials Compatibility of R134a 
　　　　　　　in Refrigerant Systems」、ASHRAE Winter Meeting in 
　　　　　　　January 1989、第２１１〜２１６頁（上記
　　　　　　　「刊行物１９」と同じ）
　甲第２号証　K.S.Sanvordenker、M.W.Larime「A REVIEW OF SYNTHETIC 
　　　　　　　OILS FOR REFRIGERATION USE」、ASHRAE Symposium 
　　　　　　　Bulletin NA-72-5,1972、第１４〜１９頁（以下、「刊行物
　　　　　　　２０」という）
　甲第３号証　S.S.Altman, et al, Foreign Technology Div, Dept of 
　　　　　　　Commerce, 4/22/69, Translation:FTD-HT-23-1489-68
　　　　　　　（以下、「刊行物２１」という）
　甲第４号証　特表平３−５０５６０２号公報（上記「刊行物１４」
　　　　　　　と同じ）
　甲第５号証　川平睦義、「密閉形冷凍機」、社団法人日本冷凍協会、昭和
　　　　　　　５６年７月３０日、第１〜３頁、第１８〜１９頁、第１０８
　　　　　　　頁〜１１４頁、第１７１〜１８３頁（上記「刊行物１」と同
　　　　　　　じ）
　甲第６号証　「第四回　冷凍・空調および冷凍機油に関するシンポジウ
　　　　　　　　ム」、共同石油株式会社、日本鉱業株式会社主催、平成元
　　　　　　　　年１１月１４日、第６−１〜６−８頁（上記「刊行物４」
　　　　　　　　と同じ）
　甲第７号証　「トライボロジスト」、社団法人日本潤滑学会、１９９０
　　　　　　　　年９月１５日、第３５巻、第９号、第２７〜３２頁、（上
　　　　　　　　記「刊行物３」と同じ）
　甲第８号証　「工業材料」、第３０巻第１３号、第３３〜３７頁（以下、
　　　　　　　「刊行物２２」という）
　甲第９号証　特開昭５８−１５５９２号公報（以下、「刊行物２３」とい
　　　　　　　う）
　甲第１０号証　特開昭５５−１５５０９３号公報（上記「刊行物６」
　　　　　　　　と同じ）
　甲第１１号証　「古河電工時報」、第８１号、昭和６２年１２月、第６１
　　　　　　　　〜６７頁（以下、「刊行物２４」という）
　甲第１２号証　「潤滑通信」、１９８７年１２月号、第１７〜１９頁（以
　　　　　　　　下、「刊行物２５」という）
　参考資料１　「日石レビュー」、第１８巻第５号（１９７６年１１月）、
　　　　　　　第２５〜３６頁（以下、「刊行物２６」という）
　参考資料２　特開平４−１８３７８８号公報（本件特許の原出願の公開公
　　　　　　　報）
　参考資料３　特開平３−１２８９９１号公報（以下、「刊行物２７」とい
　　　　　　　う）
　参考資料４　特開平３−１２８９９２号公報（上記「先願明細書２」と同
　　　　　　　じ）
　
（５）特許異議申立人　三菱電機株式会社は、下記の証拠を提出し、本件請求項１ないし２４に係る発明は、本件出願前に頒布されたことが明らかな刊行物である甲第１号証ないし甲第３号証に記載された発明に基づいて当業者が容易に発明し得たものであるから、特許法第２９条第２項の規定により特許を受けることができないものであり、また、本件出願はその明細書の記載に不備があるため特許法第３６条第４項の規定に該当し特許を受けることができないものであり、したがって、これらの特許は取り消されるべきものであると主張している。
　
　　　　　　　　　　　　　　　　　記
　甲第１号証　「第四回　冷凍・空調および冷凍機油に関するシンポジウ
　　　　　　　　ム」、共同石油株式会社、日本鉱業株式会社主催、平成元
　　　　　　　　年１１月１４日、第６−１〜６−８頁（上記「刊行物４」
　　　　　　　　と同じ）
　甲第１号証の２　「THE 1990 USNC/IIR-PURDUE REFRIGERATION
　　　　　　　　　 CONFERENCE AND THE 1990 ASHRAE-PURDUE
　　　　　　　　　 CFC CONFERENCE」、July 17-20 1990 、第１９０
　　　　　　　　　〜１９５頁（上記「刊行物１７ａ」と同じ）
　甲第２号証  「THE 1990 USNC/IIR-PURDUE REFRIGERATION 
　　　　　　　CONFERENCE AND THE 1990 ASHRAE-PURDUE CF
　　　　　　　CONFERENCE」、July 17-20 1990、第２９７〜３０７頁
　　　　　　　（以下、「刊行物１７ｂ」という）
　甲第３号証　「CFCs：Time of Transition」、Copyright 1989、
　　　　　　　American Society of Heating,Refrigerating and
　　　　　　　Air-Conditioning Engineers, Inc.、
　　　　　　　第２１１〜２１６頁（上記「刊行物１９」と同じ）
　参考資料１　「油化学」、第２９巻第９号（１９８０）、第７〜第１５頁
　　　　　　（以下、「刊行物２８」という）
　  
（６）なお、当審において通知した取消の理由の趣旨は、本件請求項１ないし２４に係る特許は、それらの発明が、上記先願明細書１あるいは先願明細書２に記載された発明と同一であるから、特許法第２９条の２の規定に違反してされたものであり、また、本件請求項１ないし２４に係る特許は、それらの発明が、上記刊行物１ないし１１、１３、１５〜１７、１９〜２７に記載された発明に基づいて当業者が容易に発明し得たものであるから、特許法第２９条第２項の規定に違反してされたものであり、さらに、本件請求項１ないし２４に係る特許は、その明細書の記載に不備があるため、特許法第３６条第４項の規定を満足していない出願に対してされたものである、というもので、特許法第２９条の２及び特許法第２９条第２項の規定違反に関しては、上記（１）ないし（４）の主張と同じである。
                                           
３．刊行物等の記載
　刊行物１には、下記の記載がある。
　１−イ：圧縮式の小形冷凍機の冷凍サイクルについて、「圧縮式の小形冷凍機のサイクルを示めすと図２．１のようになる．冷凍サイクルには必ず高圧（凝縮）側と低圧（蒸発）側とあり，熱の吸収と放熱を行う．この熱の移動，・・・を行う媒体を冷媒と云い，サイクル内を循環しながら・・・と状態を変化しながら熱を運んで冷却（吸熱）又は加熱（放熱）をする．・・・基本的な冷凍サイクルは圧縮機、凝縮器、膨張機構（キャピラリーチューブ又は膨張弁）及び蒸発器の４つから成る．」（第１頁右欄第１３行〜第２４行、図２．１）
　１−ロ：圧縮機の概要について、「容積形圧縮機を外観構造から分類すると，開放形と密閉形に分けることが出来，・・・次に圧縮機構の面から見ると（往復式、回転式、ねじ式、電磁振動方式）に分けられる．」（第２６頁左欄第１行〜右欄下から３行）
　１−ハ：密閉形圧縮機用電動機の絶縁材料特性について、「密閉形冷凍機は圧縮機内に電動機を内蔵しており，冷媒には弗素系冷媒Ｒ１２，Ｒ２２，Ｒ５００，Ｒ５０２が使われている．従って電動機は圧縮機内に絶えず潤滑油と冷媒の共存した雰囲気で使用される．圧縮機は一般に運転中，高温高圧のガス状冷媒と冷媒を多量に溶解した潤滑油などが電動機コイルにふりかかり，また圧縮機の停止時に液冷媒が圧縮機内部にたまる．この条件下で絶縁材料は長期間さらされる．したがって絶縁材料は高温，低温の繰返し，その雰囲気条件も気相，液相の変化を伴う雰囲気中で半永久的な寿命が要求される．それらの使用条件により絶縁材料に，つぎのような特性が要求される．（１）高温高圧，低温低圧，気相，液相などの雰囲気条件下で，絶縁材料が軟化，膨潤，溶解，あるいは発泡などをおこさないこと．（２）冷媒−膨潤油の雰囲気条件下で，絶縁耐力，絶縁抵抗の著しい低下がないこと．（３）絶縁材料の一部分が冷媒，潤滑油に溶出しないこと．・・・・・上記のような条件で使用される絶縁材料は，冷媒の種類別に選択する必要がある．Ｒ１２冷媒は・・・絶縁材料に対しては溶解作用が少なく，・・・現在はポリエステルフィルム，ポリエステル糸繊維等のプラスチック材料に代っている．Ｒ２２冷媒はＲ１２に比し有機材料に対する溶解力が強く，この冷媒に耐える材料は・・・等その種類に制限がある．」（第１０８頁左欄第８行〜右欄第７行）
　１−ニ：フロン系冷媒と絶縁材料について、「前述したようにＲ１２に対してホルマール線，綿，ファイバーおよびポリエステルフィルムなどを用いることが出来る．一方Ｒ２２はＲ１２よりも有機絶縁材料に対する溶解力が大きく，之に適する絶縁材料はマグネットワイヤには制限がある．絶縁材料としては綿，ポリエステルフィルム及び繊維は使用が可能である．マグネットワイヤで耐Ｒ２２用としてはイソシアネート変性ホルマール線，ポリウレタン線，アクリルニトリル線，ウレタン変性エポキシ線，ポリイミド線，ポリイミダゾピロロン線及び各種イミド変性エナメル線（エステルイミド線，ポリアミドイミド線）などがある．」（第１１０頁左欄下から４行〜右欄第８行）
　１−ホ：薄葉絶縁材料について、「圧縮機用電動機に使用されている薄葉絶縁材料は，スロットル絶縁，相間絶縁，ウェッジ，極，相接続部絶縁，コイルエンドの外部絶縁に使用されており，その材質は主にセルローズ系（クラフト紙，フイシュ紙，ラグ紙，特殊加工紙），セルローズ系とプラスチック系材料とのコンビネーション，プラスチック系材料およびそのフィルムを特殊加工処理したものが多い．・・・現在多く使用されている材料は，ポリエチレンテレフタレートフィルム（ポリエステルフィルム）が主流である．このフィルムは水分吸湿率が少なく，乾燥工程で比較的簡単に脱水乾燥が可能であり，工程の大巾な短縮が可能である．」（第１１０頁右欄第１０行〜第１１１頁左欄第９行）
　１−ヘ：マグネットワイヤの要求される性質について、「最近の電機機器は，優れた性能と共に小形軽量化がますます進み，之に用いるマグネットワイヤは，皮膜厚さの強度と耐熱性の向上が要求されるようになって来ている．・・・皮膜は又，耐冷媒性であることが必要である．このような条件に合うエナメル線としては，ホルマール線が最も優れているが，この線は耐Ｒ１２用としては問題ないが，耐Ｒ２２用としては十分とはいえない．耐Ｒ２２用エナメル線としてはウレタン線，エポキシ線，アクリル線，ポリイミド線類が安定した特性を示している．既に述べてきたように・・・エナメル線は次のような条件を備えていなければならない．・・・」（第１１１頁右欄第１９行〜第１１２頁左欄第３０行）
　１−ト：マグネットワイヤに用いられるエナメル線の種類と概要について、「（ｉ）エナメル線の種類と概要　（１）ホルマール線・・・（２）ポリウレタン線・・・（３）エポキシ線・・・（４）アクリルニトリル線・・・（５）ポリエステル線・・・線の特徴は耐熱性がホルマール線より５０℃〜６０℃高いことである．機械的強度はホルマール線より若干劣る．耐湿性が悪いので注意して使わねばならない。（６）ポリイミドエナメル線・・・（７）ポリイミダゾピロロン線・・・（８）ポリエステルイミド線・・・このワニスを焼付けたエナメル線はポリイミド，ポリアミドイミドには及ばないが，ポリエステル線よりも耐熱性が優れており，又耐摩耗性，耐ヒートショク性も優れている．（９）その他のエナメル線　二重被覆電線は被覆が２種類のワニスで構成されており，主目的は単独皮膜では機械的強度が十分でないエナメル皮膜の上に，機械的強度の優れた皮膜をオーバーコートして機械特性を向上するものであって，オーバーコートはナイロン，ポリアミドイミド，線状ポリエステル，ウレタン変性ホルマール等を使う．代表的なエナメル線として，ポリサーマリーズ線（ポリエステル線の上に線状ポリエステル皮膜を被覆したもの），アーマードポリサーマリーズ（ポリエステルイミド線の上にポリアミドイミド被覆したもの）があり，之らは何れもフエルプスダッジ社（米）の商品名である．」（第１１２頁左欄第３１行〜第１１３頁左欄第８行）、
　１−チ：冷凍機油の特性について、「冷凍機油の基本的な機能は，第１として潤滑部分の摩擦を最小限にし，機械部品の摩耗を防止すること，第２に冷凍サイクル内の高圧部分と低圧部分に所定のガス圧差を維持する，即ちオイルシール性，更に第３としてケース壁面またはラジエーター外面からの熱を放出することである．・・・冷凍機油の選定においては，圧縮機内部での冷凍機油のさらされている状態（吐出ガス温度，圧力，モータ温度等）にも注意しなければならず，要約すると次のような点に留意する必要がある．（１）冷媒が溶解しても充分油膜が保持出来る粘度であること．（２）冷媒，有機材料，金属等と高温，低温下で接触しても反応せず，熱的，化学的に十分安定していること．（３）冷凍サイクルの最も温度の低い部分で結晶状のワックスを分離，析出したり，凝固したりしない低い流動点を持つこと．（４）残存水分量が極めて少ないこと．（５）圧縮機の吐出弁付近の高温部でもカーボンスラッジを生じたり，酸化したりしない高度の熱安定性があること．（６）モーターコイル，端子部等の絶縁を低下させない高い絶縁耐力を有すること．」（第１７１頁左欄第１３行〜右欄第２８行）
　
　刊行物２には、対応する公表公報である上記刊行物１４の記載を参照すると、下記１４−イ〜ニと同じ記載がある。（第２９頁 Claims 1.及び2.：
下記１４−イ）（第６頁第１０行〜第１３行：１４−ロ）（第８頁下から４行〜第９頁第９行：１４−ハ）（第３頁第１３行〜第１９行：１４−ニ）
　
　刊行物３には、「冷凍機油の最近の動向」に係る記述があり、下記の記載がある。
　３−イ：代替冷媒について、「代替冷媒候補を表４に示した．Ｒ−１１の代替としてはＲ−１２３が有力であり，Ｒ−１２の代替としてＲ−１３４ａが有力となっているが，ほかに二種混合冷媒（Ｒ−１４２ｂ／Ｒ−２２），三種混合冷媒（Ｒ−２２／Ｒ−１５２ａ／Ｒ−１２４またはＲ−１１４），さらには可燃性ではあるがＲ−１５２ａが提案されている．」（第３１頁左欄第２８行〜第３３行、表４）
　３−ロ：代替冷媒用冷凍機油について、「カーエアコン用冷凍機油としてのＰＡＧは，低温でのＲ−１３４ａとの相溶性は良好なものの，高温での二層分離があり，吸湿性が高く，若干の塩素系溶剤の混入で安定性が大幅に低下するなどの問題点がある．さらに，電気冷蔵庫用としては電気絶縁性が低という致命的欠陥がある．電気冷蔵庫のコンプレッサーはモータが内蔵されているハーメチックタイプであるため，電気絶縁性がきわめて重要となる．表５にＲ−１３４ａ用冷凍機油の例（カーエアコン用）を示した．ＰＡＧの欠点を克服するため，変性ＰＡＧ，エステル系の冷凍機油が開発され，検討が進められている．また，Ｒ−１３４ａは分子内にＣｌがないため，Ｒ−１２と異なり，冷媒自体が極圧剤としての働きをせず，冷媒としてＲ−１３４ａを用いたコンプレッサは潤滑条件がきわめて過酷になっており，しゅう動部での摩耗が大きな問題となっている．この点についても，基材の検討，添加剤の探索さらにはコンプレッサ材料の見直しなどが行なわれている．今後，コンプレッサ，冷凍機油，材料それぞれのメーカーの共同での検討により，新冷媒使用のフロン規制対応の冷凍システムが開発されるものと考えられる．」（第３１頁右欄第２３行〜第３２頁左欄下から１６行、表５）
　
　刊行物４には、「冷凍機油のフロン規制対応」に係る記述があり、Ｒ−１３４ａ冷凍機油への要求特性を示した表−２において、粘度として、カーエアコンの用途においては斜板またはレシプロの場合１００℃で１０ｃＳｔ、ロータリーの場合１００℃で２０ｃＳｔ、冷蔵庫の用途においては斜板またはレシプロの場合４０℃で１５〜３２ｃＳｔ、ロータリーの場合４０℃で３２〜５６ｃＳｔであることが記載され、さらに冷媒との相溶性として、カーエアコンも冷蔵庫も共に高温側が８０℃以上であることが記載されている（第６−２頁、表−２参照）。
　
　刊行物５には、Ｒ１３４ａに係る記述があり、Ｒ−１３４ａの臨界温度
°Ｆ（℃）が２１４．０（１０１．１）であることが記載されている（第１１５頁、Ｔａｂｌｅ６参照）。
　
　刊行物６には、「ネオペンチルポリオールエステルにトリメチロールホスフェートを０．００５〜５重量％添加含有させたことを特徴とする合成冷凍機油。」が記載されており（特許請求の範囲）、実施例においてはネオペンチルポリオールと脂肪酸の各種組合せからなるネオペンチルポリオールエステルが例示され（公報第２頁右下欄表１参照）、これらを冷凍機油としてフロンＲ−１２、Ｒ−２２に適用したことが記載されている（公報第３頁下欄表２参照）。
　
　刊行物７には、「多価アルコールエステルまたは多価アルコールエステルと鉱油もしくは合成油との混合物に炭素数８〜１８の直鎖もしくは側鎖飽和脂肪酸または炭素数１４〜１８の直鎖不飽和脂肪酸のグリシジルエステルを０．０５〜１０重量％添加したことを特徴とする冷凍機油。」が記載されており（特許請求の範囲）、多価アルコールエステルについて、「本発明における多価アルコールエステルとしては、多価アルコールとモノカルボン酸とのエステル（特開昭５６−１３３４２１号）、多価アルコールとジカルボン酸およびモノカルボン酸とからなるエステル（特開昭５９−１６４３９３号）などがある。」と記載され（公報第２頁左下欄第９行〜第１４行）、実施例においては多価アルコールと脂肪酸の各種組合せからなるエステルが例示されている（公報第４頁左上欄表１参照）。
　
　刊行物８には、「代替冷媒仕様の冷蔵庫とトライボロジー」に係る記述があるが、この刊行物は本願出願後に発行されたものである。
　
　刊行物９には、「４．ネオペンチルポリオールと下記（ａ），（ｂ）の混合脂肪酸とのネオペンチルポリオールエステルを基油とする耐フロン性油。（ａ）炭素数８ないし１２の分枝飽和脂肪酸　（ｂ）炭素数１２ないし１８の直鎖飽和脂肪酸　ただし，（ａ）と（ｂ）の混合重量比が９５：５ないし１５：８５である。　５．ネオペンチルポリオールがトリメチロールプロパンまたはペンタエリスリトールである特許請求の範囲第４項記載の耐フロン性油。」が記載されており（特許請求の範囲第４項及び第５項）、用途について、「本発明の耐フロン性油は、・・・冷凍機油などのフロンの存在下で使用されるあらゆる機器用の潤滑油として利用することもできる。」と記載され（公報第２頁右下欄末行〜第３頁左上欄第８行）、実施例においてはネオペンチルポリオールと脂肪酸の各種組合せからなるネオペンチルポリオールエステルが例示されている（公報第３頁下欄表１参照）。
　
　刊行物１０には、「５．脂肪酸組成（重量％）が（ａ）５〜９０，（ｂ）５〜６０，（ｃ）５〜５０であるネオペンチルポリオールエステルを基油とする冷凍機油。（ａ）一般式〔Ｉ〕で示されるα位に分枝鎖を有する分枝鎖飽和脂肪酸
　　　　　　　　　　　　　　　　　　　　　　　　　　　　　〔Ｉ〕
　
　
（ただし，Ｒ１は炭素数４〜１５のアルキル基，Ｒ２は炭素数１〜６のアルキル基）　（ｂ）炭素数１２〜２０の直鎖飽和脂肪酸，　（ｃ）炭素数７〜１１の直鎖飽和脂肪酸。」が記載されており（特許請求の範囲第５項）、実施例においてはネオペンチルポリオールと脂肪酸の各種組合せからなるネオペンチルポリオールエステルが例示されている（公報第４頁上欄表１参照）。
　
　刊行物１１には、ポリオールエステルの代表的性状として、各種ポリオールエステルの２１０°Ｆ、１００°Ｆの粘度（ｃＳｔ）がそれぞれ示されており（第３６５頁表６．８．１参照）、化学的特性として、「このほかに，冷凍機油やフロンタービン熱媒体油などの用途には，フロンと反応しにくい耐フロン性油が要望されている．ポリオールエステルは，非常にすぐれた耐フロン性を示す．」と記載されている（第３７３頁下から２行〜第３７４頁第１行）。
　
　刊行物１２は、先願１を国内優先権主張の基礎とする出願に対応する公開公報に係るものであり、下記Ａ−イ〜トと同様の記載がある。
　
　刊行物１３には、冷凍機用潤滑油に係る発明が記載されており（特許請求の範囲参照）、潤滑油の粘度について、「従来、冷蔵庫等の圧縮機に使用されていた潤滑油の粘度は、ＩＳＯグレードで、ＶＧ３２またはＶＧ２２の鉱油，合成油，または鉱油と合成油の混合油であり、・・・しかし、近年圧縮機の高効率化を目的とし、粘度がＩＳＯグレードで、ＶＧ１５，１０，５の低粘度型潤滑油の適用化がなされて来ている。」と記載されている（公報第１頁左下欄第１５行〜右下欄第３行）。
　
　刊行物１４には、下記の記載がある。
　１４−イ：「１．以下の（Ａ）および（Ｂ）を含有する液状組成物：（Ａ）主要量の少なくとも１種のフッ素含有炭化水素であって、該炭化水素は、１個または２個の炭素原子を含有する；および（Ｂ）少量の少なくとも１種の溶解性有機潤滑剤であって、該有機潤滑剤は、少なくとも２個の水酸基を含む多価ヒドロキシ化合物のカルボン酸エステルの少なくとも１種を含有し、そして該カルボン酸エステルは、以下の一般式により特徴づけられる：
　　Ｒ［ＯＣ（Ｏ）Ｒ１］ｎ　　　（Ｉ）
　ここで、Ｒはヒドロカルビル基、各Ｒ１　は、独立して、水素、直鎖の低級ヒドロカルビル基、分枝鎖のヒドロカルビル基、または８個〜約２２個の炭素原子を含有する直鎖のヒドロカルビル基（但し、少なくとも１個のＲ１　基は、水素、低級の直鎖ヒドロカルビル基または分枝鎖ヒドロカルビル基である）、またはカルボン酸含有のヒドロカルビル基またはカルボン酸エステル含有のヒドロカルビル基であり、そしてｎは少なくとも２である。
２．請求項１の液状組成物であって、前記フッ素含有炭化水素（Ａ）中では、フッ素が唯一のハロゲンである。」（請求の範囲１．及び２．）
　１４−ロ：液状組成物の用途について、「この液状組成物は、冷却装置および空気調和装置（これには、自動車用の空気調和装置、家庭用の空気調和装置および工業用の空気調和装置が包含される）にて、冷却液体として特に有用である。」（第４頁右上欄第５行〜第８行）
　１４−ハ：フッ素含有炭化水素の特定例について、「本発明の液状組成物中で有用なフッ素含有炭化水素の特定例、報告されたそれらのオゾン減少可能性は、以下の表Ｉに示される：
　　　　　　　　　　　　　　表Ｉ
　化合物の名称　　　　　　　式　　　　　　　　　　ＯＤＰ＊  
　ＨＣＦＣ−２２　　　　　　ＣＨＣｌＦ２　　　　　０．０５
　ＨＣＦＣ−１２３　　　　　ＣＨＣｌ２ＣＦ３　　　＜０．０５
　ＨＣＦＣ−１４１ｂ　　　　ＣＨ３Ｃｌ２Ｆ　　　　＜０．０５
　ＨＦＣ−１３４ａ　　　　　ＣＨ２ＦＣＦ３　　　　　０　　　　
＊　プロセス工学（ｐｐ．３３〜３４、１９８８年７月）で報告されているオゾン減少可能性」（第５頁左上欄第６行〜第１６行）
　１４−ニ：冷却剤の溶解性について、「望ましい冷却液体として機能するために、冷却剤と潤滑剤との混合物は、広い温度範囲（例えば、約０℃〜８０℃以上）にわたって、相溶性でありかつ安定でなければならない。この潤滑剤は、−４０℃〜８０℃の温度範囲にわたって、約５％〜１５％の濃度で、冷却剤に溶解性であることが、一般に、望ましい。」（第３頁右上欄第２０行〜第２５行）　
　
　刊行物１５は、昭和電線電纜株式会社のマグネットワイヤーのカタログであり、ポリエステル銅線（ＰＥＷ）が汎用モーター、ポリエステルイミド−ポリアミドイミド銅線（ＥＡＷ、ＡＩ−１００）がクーラー用モーター、ポリアミドイミド銅線（ＡＩＷ）が耐熱性モーターの用途に用いられること（第４頁　２昭和のマグネットワイヤ一覧表　（１）エナメル銅線の表参照）、ポリエステルイミド−ポリアミドイミド銅線が、下層にポリエステルイミドワニス、上層にポリアミドイミドワニスを焼付けたダブルコートエナメル銅線であり、耐冷媒性、耐加工劣化性、耐熱性に優れたものであること（第９頁　（４）ポリエステルイミド−ポリアミドイミド銅線（ＡＩ−１００、ＥＡＷ）耐熱区分：Ｈ種（１８０℃）の項参照）、ＡＩ−１００及びＥＡＷが、冷蔵庫、ルームクーラーなどの冷媒および冷凍機油の雰囲気で作動されるコンプレッサーモーターに用いる耐冷媒用エナメル銅線として優れた特性を有するものであり、フロン１２、フロン２２用として用いられることが記載されている（第１１頁　８耐冷媒用エナメル銅線の項参照）。
　
　刊行物１６には、冷凍機油の規格が記載されており、ＩＳＯ　ＶＧ１０の４０℃における動粘度（ｃｓｔ）が９．００以上１１．０以下、ＩＳＯ　ＶＧ１００の４０℃における動粘度（ｃｓｔ）が９０．０以上１１０以下であることが記載されている（第７８頁表２１種、表３２種参照）。
　
　刊行物１７ａには、代替冷媒用冷凍オイルに係る記述があり、代替冷媒であるＨＦＣ−１３４ａの使用にあたっての問題点が汎用の潤滑剤との混和性にあること（第１９０頁第４行〜第７行参照）、ＨＦＣ−１３４ａ用冷凍オイルに必要とされる特性として、レシプロ型に用いる場合の粘度が家庭用冷蔵庫で１５〜３２ｃＳｔ（４０℃）、ロータリー型に用いる場合の粘度が家庭用冷蔵庫で３２〜５６ｃＳｔ（４０℃）であり、かつ冷媒との混和性が、カーエアコンも家庭用冷蔵庫も共に高温側が８０℃より大きいものであること（第１９２頁表２参照）、ＨＦＣ−１３４ａ用冷凍オイルとしてはエステル型のものが優れていること（第１９４頁第１行〜第４行および表７参照）が記載されている。また刊行物１７ｂには、冷凍用ＨＦＣ１３４ａ／ＰＡＧ混合物の評価結果に係る記述があり、モーターに使用されるマグネティックワイヤや絶縁フィルムの有機材料が水によって加水分解を引きおこすことが記載され（第２９８頁第２５行〜第２７行参照）、エステルイミド／アミドイミド（ＥＩ／ＡＩ）ダブルコートマグネティックワイヤーが０．５％未満の水が溶解したＰＡＧ中で使用できることが記載されている（第２９９頁第１５行〜第１７行参照）。
　
　刊行物１８には、下記の記載がある。
　１８−イ：「１．下記（Ａ）および（Ｂ）を含む、−２０℃〜６５℃を越える範囲でフッ素化炭化水素および塩素化フッ素化炭化水素冷媒に混和性であり、３８℃で７５センチストークス（７５×１０−６ｍ２　／ｓ）を越える粘度を有する滑剤組成物。
（Ａ）下記式を有する９５〜５％のポリエーテルポリオール。（式および式中の符号の説明省略）
（Ｂ）次の（１）および（２）から選ばれる５〜９５％のエステル。
（１）アルカノール酸を有する多価アルコールから製造されるエステル。
（２）アルカノールを有するアルカンジオール酸から製造されるエステル。・・・４．次の（Ａ）および（Ｂ）を含む圧縮冷却における使用のための流体組成物。（Ａ）塩素化フッ素化炭化水素およびフッ素化炭化水素から選ばれる冷媒。（Ｂ）請求項１または請求項２記載の滑剤組成物。・・・７．前記フッ素化炭化水素が、１，１，１，２−テトラフルオロエタンである請求項４記載の組成物。・・・」（特許請求の範囲請求項１、請求項４、請求項７）
　１８−ロ：冷媒としてＲ−１３４ａを用いる場合の問題点及び上記滑剤組成物の有用性について、「Ｒ−１３４ａを用いる主要な問題は、ナフテン系鉱油の如き従来の滑剤が異なる冷媒の適用で遭遇される操作温度である−２０℃〜８０℃の範囲の温度にわたって溶解しないということである。いくつかのポリグリコールは、２５℃以下でＲ１３４ａに溶解するが、６０℃以下では相が分離する。・・・・・本発明の有用性は、現在の圧縮機に機械的な変更なくして、たいていの圧縮機におけるＲ１２の如き塩フッ化炭素の代わりにＲ１３４ａおよび他のフッ素化炭化水素または塩素化フッ素化炭化水素を代用することを圧縮機の製造業者に可能にし、広い温度範囲にわたって操作できるであろうということである。」（公報第３頁左下欄第２行〜第１８行）
　１８−ハ：アルカノール酸を有する多価アルコールから製造されるエステルの具体例について、「適当なエステルの例は、４〜１８の炭素原子のアルカノール酸を有する、グリセリン、エチレングリコール、・・・ペンタエリトリトール、ジペンタエリトリトール、・・・トリメチロールプロパン、・・・、およびトリメチロールエタンの如き４〜１８の炭素を有する２価アルコール、３価アルコール、および４価アルコールのエステルである。これらは、エチレングリコールジステアレート、・・・トリメチロールプロパントリヘプトネートおよびペンタエリトリトールテトラヘプトネートにより説明される。」（公報第４頁右上欄第１０行〜左下欄第３行）
　１８−ニ：各種滑剤の３８℃における粘度（ｃｓ）及び冷媒Ｒ１３４ａ（１，１，１，２−テトラフルオロエタン）に混合したときの相分離の温度である上側溶液臨界温度（ＵＳＣＴ）として、「コントロールＡ、１００　Ｍｏｂｉｌ　Ｐ５１（７−９の炭素を有するアルカノール酸の混合物のペンタエリトリトールテトラエステル）、２５ｃｓ、８０℃」「コントロールＢ、１００　Ｍｏｂｉｌ　Ｐ４１（トリメチロールプロパントリヘプトネート）、１５ｃｓ、＞８３℃」「コントロールＪ、３０／７０　Ｐ−２０００／Ｍｏｂｉｌ　Ｐ４１、４０ｃｓ、８０℃」（公報第６頁左上欄第３行〜右上欄第３行、及び表Ｉ参照）
　
　刊行物１９には、Ｒ１３４ａの冷媒系における物質適合性に係る記述があり、エステルタイプの合成オイルがＲ１３４ａとの十分な混和性を有することが記載され（第２１３頁左欄第５行〜第７行参照）、１００°Ｆ、２１０°Ｆの粘度がそれぞれ１２０ＳＵＳ、４３ＳＵＳのネオペンチルエステル、１００°Ｆ、２１０°Ｆの粘度がそれぞれ１５０ＳＵＳ、４７ＳＵＳのネオペンチルエステルが良好な混和性を有することが示されている（第２１２頁Ｔａｂｌｅ１のＯｉｌ　Ｎｏ．６及び７、第２１３頁Ｆｉｇｕｒｅ３参照）。またモーター絶縁材との適合性に関して、ポリエステルイミド（ＰＥＩ）及び下層ポリエステル上層アミドイミドダブルコート（ＡＩ／ＰＥ）のマグネットワイヤ被覆材は、Ｒ１３４ａの吸収性が低いことが記載されている（第２１４頁左欄下から２行〜右欄第２行参照）。さらに、参考文献として「K.S.Sanvordenker、M.W.Larime「A REVIEW OF SYNTHETIC OILS FOR REFRIGERATION USE」、ASHRAE Symposium Bulletin NA-72-5,1972 （刊行物２０）を引用している（第２１６頁右欄第４１行〜第４３行参照）。
 
　刊行物２０には、冷凍機に使用する合成オイルに関する記述があり、最近のロシア特許にＲ２２用の潤滑剤としてペンタエリスルトールエステルが−８０℃（−１１２°Ｆ）のエバポレーター温度に使用できる旨の記載（第１７頁右欄下から１４行〜第１８頁左欄第６行参照）、参考文献として上記ロシア特許に対応する合衆国商務省外国技術局翻訳：ＦＴＤ−ＨＴ−２３−１４８９−６８が示されている（第１９頁右欄１４項参照）。
　
　刊行物２１は、上記合衆国商務省外国技術局翻訳：ＦＴＤ−ＨＴ−２３−１４８９−６８に係るものであり、ネオペンチルアルコールとＣ５〜Ｃ９の脂肪酸とのコンプレックスエステルは著しく高い流動点を有し、フレオン−２２の冷凍機油として用いられること、提案されている潤滑油はペンタエリスルトールと鎖中炭素数が５〜９の合成脂肪酸から得られるものであることが記載されている。
　
　刊行物２２には、耐熱エナメル線に係る記述があり、ポリエステルまたはポリエステルイミド層を導体側に、ポリアミドイミド層を表面に焼付けたダブルコート線は、耐熱性、耐加工劣化性、耐冷媒性に優れるため、冷凍機器類に主に使用されることが記載されている（第３６頁下から１１行〜第３７頁第１行参照）。
　
　刊行物２３には、ネオペンチル構造を有するポリオールのエステルを基油とした耐フロン性油が記載されており（特許請求の範囲参照）、このネオペンチル構造を有するポリオールのエステルは、ネオペンチル系ポリオール及び飽和脂肪酸あるいはこれらの低級アルキルエステル等を使用し、通常のエステル化反応やエステル交換反応を行わせることによって得られるものであり（公報第２頁右上欄第１行〜第８行参照）、ネオペンチル系ポリオールとしてネオペンチルグリコール、トリメチロールエタン、トリメチロールプロパン、ペンタエリスリトール、ジペンタエリスリトールなどが挙げられ、飽和脂肪酸は直鎖または分枝鎖の天然脂肪酸あるいは合成脂肪酸が適用でき、その炭素数は６〜１８であるのが好適である（公報第２頁右上欄第９行〜第１５行参照）旨記載されている。また、実施例２にはペンタエリスルトールテトラ２−エチルヘキサノエートを基油とする冷凍機油をフロンＲ−１２、Ｒ−２２に用いた場合の化学的安定性について評価した結果が示されている（公報第４ページ右上欄第２表参照）。
　
　刊行物２４には、耐加工性エナメル線の開発に係る記述があり、ポリエステルアミドイミド線（ＲＨＷ）とポリアミドイミドオーバーコートポリエステルイミド線（ＡＩ／ＥＩ）の冷媒Ｒ２２に対する耐冷媒特性が示されている（第６７頁左欄下から５行〜下から１行及び表４参照）。
　
　刊行物２５には、エステル系合成潤滑油剤の使用例に係る記述があり、高粘度、高粘度指数のヒンダードエステルがスクリュウ型冷凍機で使用されているが、水分の存在によりエステル油自体が加水分解することによる劣化が懸念されるため、水分に対して十分に配慮するべきであると記載されている（第１８頁右欄下から１４行〜下から４行）。
　
　刊行物２６には、動粘度（ｃＳｔ）とセイボルト・ユニバーサル秒（ＳＵＳ）の粘度換算表が記載されており、１００°Ｆで１２０ＳＵＳが２５．２ｃＳｔ、２１０°Ｆで４３ＳＵＳが５．２ｃＳｔ、１００°Ｆで１５０ＳＵＳが３２ｃＳｔ、２１０°Ｆで４７ＳＵＳが６．４ｃＳｔに概略相当することが示されている（第２４４〜２４５頁参照）。
　
　刊行物２７には、「エーテル結合を持たない炭素数５〜１２の２価アルコール１種類以上と、炭素数３〜１８の直鎖又は分枝の１価脂肪酸１種類以上、あるいは炭素数３〜１８の直鎖又は分枝の１価脂肪酸１種類以上と炭素数４〜１４の多塩基酸１種類以上とを原料として得たエステルを主成分とする水素含有フロン冷媒用潤滑油」（特許請求の範囲請求項１）に係る発明が記載されており、その実施例において示される供試エステルＡ−１〜１８は、高温側の二層分離温度がいずれも８０℃以上であることが記載されている（表１、表３〜表５参照）。
　
　刊行物２８には、ポリオールエステル系合成潤滑油の動向に係る記述があり、アルコール成分としてネオペンチルグリコール、トリメチロールプロパン、ペンタエリトリトールを用いたポリオールエステルの代表的性状が記載されている（第６２８頁表−１参照）。
　
　先願明細書１には、下記の記載がある。
　Ａ−イ：「（１）ネオペンチルポリオールと炭素数７〜９の飽和分岐鎖脂肪族モノカルボン酸とから得られるエステル、及び１、１、１、２−テトラフルオロエタンを含有する冷凍機作動流体用組成物。」（特許請求の範囲請求項１）
　Ａ−ロ：産業上の利用分野について、「本発明は、冷凍機作動流体用組成物に関し、更に詳しくは、電気冷蔵庫用等の圧縮式冷凍機の作動流体用組成物に関する。」（明細書第３頁第１８行〜第２０行）
　Ａ−ハ：フロン１３４ａと共に用いる場合の冷凍機油に必要とされる性質について、「また、この他、電気冷蔵庫の圧縮式冷凍機には、絶縁材やエナメル線などのモータに用いられている有機材料が存在するため、フロン１３４ａと冷凍機油からなる作動流体としては、これらの有機材料に悪影響を及ぼさないことが必要であるし、電気絶縁性も良好であることが必要である。」（明細書第５頁第１２行〜第１７行）
　Ａ−ニ：エステルのアルコール成分及びカルボン酸成分について、「本発明に用いられるエステルのアルコール成分はネオペンチルポリオールであり、例えばネオペンチルグリコール、・・・及びジペンタエリスルトール等が挙げられ、好ましくはネオペンチルグリコール、トリメチロールプロパン、ペンタエリスルトールである。・・・本発明に用いられるエステルのカルボン酸成分は炭素数７〜９の飽和分岐鎖脂肪族モノカルボン酸であり、・・・好ましくは２−メチルヘキサン酸、２−エチルヘキサン酸、３、５−ジメチルヘキサン酸、３、５、５−トリメチルヘキサン酸、である。」（明細書第１１頁第１６行〜第１３頁第３行）
　Ａ−ホ：エステルの粘度について、「前記のアルコールと酸より得られるエステルの粘度範囲は、４０℃での動粘度が通常５ｃｓｔ〜１１５ｃｓｔであり、好ましくは５ｃｓｔ〜５６ｃｓｔのものが用いられる。・・・この粘度範囲のエステルを得るにはこれらの２種以上のエステルを混合したり、２種類以上の酸をアルコールと反応することにより、望むグレードのエステルを得ることができる。」（明細書第１６頁第９行〜第１９行）
　Ａ−ヘ：実施例１として、「１ｌの４つ口フラスコに攪拌機、温度計、窒素吹き込み管、及び冷却器付きの脱水管を取り付けた。ネオペンチルグリコール１０４ｇ（１．０ｍｏｌ）と２−メチルヘキサン酸２６０ｇ（２．０ｍｏｌ）を前記フラスコに取り、窒素気流下２４０℃で１０時間エステル化反応を行いエステルＡを得た。また、表−１に示すアルコール及びカルボン酸を用い、以下同様な反応を行ってエステルＢ〜Ｋ及びエステルａ〜ｄを得た。・・・これらの本発明品に用いる油１〜１２及び比較品に用いる油１〜８の４０℃及び１００℃における動粘度、並びに粘度指数（ＪＩＳ−Ｋ２２８３）を測定した。また、流動点（ＪＩＳ−Ｋ２２６９）を測定した。その結果を表−２に示す。」（明細書第２７頁第１３行〜第２８頁第１２行、及び表−１、表−２）
　Ａ−ト：実施例２として、「・・・１、１、１、２−テトラフルオロエタン（フロン１３４ａ）との組成物である本発明品１〜１２及び比較品１〜８の相溶性を調べるため、１、１、１、２−テトラフルオロエタンに対する各種資料濃度１０ｖｏｌ％における低温及び高温での二相分離温度を測定した。・・・結果を表−３に示す。」（明細書第３２頁第２行〜第１３行、及び表−３）
　
　先願明細書２には、下記の記載がある。
　Ｂ−イ：「炭素数１５以下、３価以上の多価アルコール１種類以上と、炭素数２〜１８の直鎖又は分枝の１価脂肪酸１種類以上、あるいは炭素数２〜１８の直鎖又は分枝の１価脂肪酸１種類以上と炭素数４〜１４の多塩基酸１種類以上とを原料として得たエステルを主成分とする水素含有フロン冷媒用潤滑油。」（特許請求の範囲請求項１）
　Ｂ−ロ：産業上の利用分野について、「本発明は、フロンを冷媒として使用する圧縮機用潤滑油に関するものであり、特に、フロンのうちでも塩素を含まないハイドロフルオロカーボン、ＨＦＣ−１３４ａ（１、１、１、２−テトラフルオロエタン）、・・・などの水素含有フロン冷媒を圧縮する際に用いるのに好適な潤滑油に関するものである。」（公報第１頁左下欄末行〜右下欄第７行）
　Ｂ−ハ：発明の解決しようとする課題について、「一方、ＨＦＣ−１３４ａ等の水素含有フロン冷媒はＲ−１２等ＣＦＣの代替冷媒候補であり、主にカーエアコン、冷蔵庫を対象とした新規冷媒として期待されている。冷蔵庫の場合、油と冷媒との相溶性が必要であるが、モータが冷媒システム内にあるタイプがほとんどであり、油自体に高い絶縁性が要求される。・・・そこで本発明の目的は、特に新しい冷媒であるＨＦＣ−１３４ａ・・・などの塩素を含まない水素含有フロン冷媒に対して広い温度範囲で相溶性に優れ、かつ電気絶縁性が高く、さらに吸湿性の低い冷凍機用潤滑油を提供することにある。」（公報第２頁右上欄第１９行〜左下欄第１５行）
　Ｂ−ニ：３価以上のアルコールについて、「このような３価のアルコール例として、トリメチロールプロパン、・・・、４価以上のアルコール例として、ペンタエリストール、・・・などが挙げられる。」（公報第３頁左上欄第３行〜第１５行）
　Ｂ−ホ：１価脂肪酸について、「例示すると、１価脂肪酸として、・・・ヘキサン酸、ヘプタン酸・・・、２−エチルヘキサン酸・・・などがある。」（公報第３頁右上欄第３行〜第１２行）
　Ｂ−ヘ：作用について、「エステルを主成分とする本発明の冷凍機用潤滑油は、例えばＨＦＣ−１３４ａを冷媒とした冷凍機に用いる潤滑油として、冷媒ＨＦＣ−１３４ａと低温から高温までの広い領域で相互に良好な溶解性を示してその潤滑性及び熱安定性を大幅に向上させることができる。・・・、さらには該冷媒を冷蔵庫用冷凍コンプレッサに使用する場合の大きな問題である電気絶縁性を高め、この問題をも解決することが可能となった。」（公報第４頁左上欄第３行〜第１８行）
　Ｂ−ト：効果について、「本発明の冷凍機用潤滑油は冷媒としてのフロンＨＦＣ−１３４ａ、・・・等の水素含有フロン冷媒に対し充分な相溶性を維持しかつ高い電気絶縁性を有し、総合性能にも優れていることから、特に従来のＲ−１２やＲ−２２のフロンに代わりＨＦＣ−１３４ａを用いても従来システムをそのまま使用することができるという効果が得られる。」（公報第１０頁左上欄第１６行〜右上欄第４行）
　Ｂ−チ：実施例１〜８として、「第１表および第２表に示す供試油の冷凍機用潤滑油としての性能として潤滑性、相溶性および熱安定性を下記に示す条件の下で評価した。・・・上記評価結果は第３表に示すとおりである。」（公報第４頁左下欄第１６行〜第６頁左下欄第１行、及び第１表、第２表、第３表）
　Ｂ−リ：実施例９〜１７として、「本発明に係るエステルとして、ペンタエリスリトール系の多価アルコールを用いた供試油を第４表にＡ−９〜１７として、またその他の３価以上のアルコールを用いた供試油を第５表にＡ−１８〜２５として示す。それぞれのエステルのＨＦＣ−１３４ａ冷凍機油潤滑剤としての性能評価結果を第６表、第７表に示す。なお評価方法は前述の方法を用いた。第１表および第２表に示す供試油の冷凍機用潤滑油としての性能として潤滑性、相溶性および熱安定性を下記に示す条件の下で評価した。・・・上記評価結果は第３表に示すとおりである。」（公報第６頁右下欄第１４行〜第２１行、及び第４表、第６表）
　証明書１には、昭和電線電纜株式会社のカタログ「昭和のマグネットワイヤー（Ｎｏ．５００−４　６１．１１．２）」（刊行物１５）が、昭和６１年１１月２日に発行され、同年から広く顧客に頒布されたものであることが示されている。
　
４．対比・判断
（１）特許法第２９条の２について（その１）：
〈請求項１について〉
　本件請求項１に係る発明（以下、「本件発明１」という。）と、上記先願明細書１に記載された発明とを比較する。
　上記先願明細書１には、ネオペンチルポリオールと炭素数７〜９の飽和分岐鎖脂肪族モノカルボン酸とから得られるエステル、及び１、１、１、２−テトラフルオロエタンを含有する冷凍機作動流体用組成物が記載されており（上記記載Ａ−イ参照）、該冷凍機作動流体用組成物は電気冷蔵庫用等の圧縮式冷凍機に用いられるものである（上記記載Ａ−ロ参照）ことから、上記先願明細書１には冷媒（１、１、１、２−テトラフルオロエタン）と冷凍機油（ネオペンチルポリオールと炭素数７〜９の飽和分岐鎖脂肪族モノカルボン酸とから得られるエステル）とを備えた圧縮式冷凍機が実質的に記載されているものと認められる。そして、上記エステルのアルコール部分に用いられるネオペンチルポリオール及びカルボン酸部分に用いられる炭素数７〜９の飽和分岐鎖脂肪族モノカルボン酸として例示されている化合物（上記記載Ａ−ニ参照）及び好ましい動粘度の値（上記記載Ａ−ホ参照）、並びに実施例１に記載されているエステルの具体例及びその動粘度の値（上記記載Ａ−ヘ参照）及び実施例２に記載されている二相分離温度の値（上記記載Ａ−ト参照）からみて、上記先願明細書１に記載されたエステルは本件発明１において特定される脂肪酸のエステル油に包含されるものであると認められる。さらに、上記先願明細書１に記載された１、１、１、２−テトラフルオロエタンが「水素化フッ素化炭素（ＨＦＣ）が主成分であり臨界温度が４０℃以上である冷媒」に相当することは明らかであり、かつ、圧縮式冷凍機が「冷媒を圧縮する密閉型圧縮機と、冷媒を凝縮させる凝縮器と、冷媒を乾燥させる乾燥器と、冷媒を膨脹させる膨張機構と、冷媒を蒸発させる蒸発器」を有するものであることは当業者の常識に照らして明らかである（例えば上記記載１−イ等を参照）ことから、本件発明１と上記先願明細書１に記載された発明とは、「水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成る冷凍装置。
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数」である点で一致するものである。
　しかしながら、本件発明１においてはさらに「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているのに対して、上記先願明細書１記載の発明においては、冷媒と冷凍機油からなる作動流体が、圧縮式冷凍機のモーターに用いられているエナメル線等の有機材料に対して悪影響を及ぼさないことが必要である旨の記載はあるものの（上記記載Ａ−ハ参照）、エナメル線として具体的にどのような有機材料を用いるのかは示されていない。そして、先願明細書１に記載されている特定の冷媒と特定の冷凍機油を組合せた作動流体を圧縮式冷凍機に用いる場合に、モーターに用いられるエナメル線として数多くの有機材料の中から特にポリエステル線（ＰＥＷ）、上層ポリアミドイミド／下層ポリエステルイミド線（ＲＦＷ−Ｖ）及びポリアミドイミド線（ＡＩＷ）のいずれか１種を選択することが当業者にとって自明の事項であるとも認められないので、上記の「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成が、先願明細書１に実質的に記載されているに等しいとすることもできない。
  したがって、本件発明１は、モータのエナメル被覆線を特定した点において上記先願明細書１に記載された発明とは明確に相違するものであり、本件発明１は上記先願明細書１に記載された発明と同一ではない。
　
〈請求項２ないし２４について〉
　本件請求項２ないし２４に係る発明は、いずれも「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているものである。しかし、上述したように、上記の構成を備えている本件発明１は上記先願明細書１に記載された発明とは明確に相違し、上記先願明細書１に記載された発明と同一であるとは認められないことから、同様の理由により、本件請求項２ないし２４に係る発明もまた、上記先願明細書１に記載された発明と同一であるとは認められない。
　
（２）特許法第２９条の２について（その２）：
〈請求項１について〉
　本件請求項１に係る発明（以下、「本件発明１」という。）と、上記先願明細書２に記載された発明とを比較する。
　上記先願明細書２には、炭素数１５以下、３価以上の多価アルコール１種類以上と、炭素数２〜１８の直鎖又は分枝の１価脂肪酸１種類以上とを原料として得たエステルを主成分とする水素含有フロン冷媒用が記載されており（上記記載Ｂ−イ参照）、該潤滑油はＨＦＣ−１３４ａを冷媒とした冷凍機や冷蔵庫用冷凍コンプレッサ等に用いられるものである（上記記載Ｂ−ロ、ハ、ヘ参照）ことから、上記先願明細書１には冷媒（ＨＦＣ−１３４ａ）と冷凍機油（炭素数１５以下、３価以上の多価アルコール１種類以上と、炭素数２〜１８の直鎖又は分枝の１価脂肪酸１種類以上とを原料として得たエステル）とを備えた圧縮式冷凍機が実質的に記載されているものと認められる。そして、上記エステルのアルコール部分に用いられる３価以上の多価アルコール及びカルボン酸部分に用いられる炭素数２〜１８の１価脂肪酸として例示されている化合物（上記記載Ｂ−ニ、ホ参照）、及び、実施例に記載されているエステルの具体例並びにその動粘度と二層分離温度の値（上記記載Ｂ−チ、リ参照）からみて、上記先願明細書２に記載されたエステルは本件発明１において特定される脂肪酸のエステル油に包含されるものであると認められる。さらに、上記先願明細書２に記載されたＨＦＣ−１３４ａが「水素化フッ素化炭素（ＨＦＣ）が主成分であり臨界温度が４０℃以上である冷媒」に相当することは明らかであり、かつ、圧縮式冷凍機が「冷媒を圧縮する密閉型圧縮機と、冷媒を凝縮させる凝縮器と、冷媒を乾燥させる乾燥器と、冷媒を膨脹させる膨張機構と、冷媒を蒸発させる蒸発器」を有するものであることは当業者の常識に照らして明らかである（例えば上記記載１−イ等を参照）ことから、本件発明１と上記先願明細書２に記載された発明とは、「水素化フッ素化炭素（ＨＦＣ）が主成分であり臨界温度が４０℃以上である冷媒と、前記冷媒を圧縮する密閉型圧縮機と、前記冷媒を凝縮させる凝縮器と、前記冷媒を乾燥させる乾燥器と、前記冷媒を膨脹させる膨張機構と、前記冷媒を蒸発させる蒸発器と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成る冷凍装置。
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数」である点で一致するものである。
　しかしながら、本件発明１においてはさらに「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているのに対して、上記先願明細書２記載の発明においては、冷媒として従来のＲ−１２やＲ−２２に代えてＨＦＣ−１３４ａを用いても従来のシステムをそのまま使用できる旨の記載はあるものの（上記記載Ｂ−ト参照）、モーターのエナメル線として具体的にどのような有機材料を用いるのかは示されていない。そして、先願明細書２に記載されている特定の冷凍機油と冷媒ＨＦＣ−１３４ａとを組合せた作動流体を圧縮式冷凍機に用いる場合に、モーターに用いられるエナメル線として数多くの有機材料の中から特にポリエステル線（ＰＥＷ）、上層ポリアミドイミド／下層ポリエステルイミド線（ＲＦＷ−Ｖ）及びポリアミドイミド線（ＡＩＷ）のいずれか１種を選択することが当業者にとって自明の事項であるとも認められないので、上記の「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成が、先願明細書２に実質的に記載されているに等しいとすることもできない。
  したがって、本件発明１は、モータのエナメル被覆線を特定した点において上記先願明細書２に記載された発明とは明確に相違するものであり、本件発明１は上記先願明細書２に記載された発明と同一ではない。
　
〈請求項２ないし２４について〉
　本件請求項２ないし２４に係る発明は、いずれも「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているものである。しかし、上述したように、上記の構成を備えている本件発明１は上記先願明細書２に記載された発明とは明確に相違し、上記先願明細書２に記載された発明と同一であるとは認められないことから、同様の理由により、本件請求項２ないし２４に係る発明もまた、上記先願明細書２に記載された発明と同一であるとは認められない。
　
（３）特許法第２９条第１項第３号について：
〈請求項１について〉
　本件発明１と、上記刊行物１８に記載された発明とを比較する。
　上記刊行物１８には、１，１，１，２−テトラフルオロエタンと、ポリエーテルポリオール及びアルカノール酸を有する多価アルコールから製造されるエステルを含む滑剤組成物とからなる流体組成物が記載されており（上記記載１８−イ参照）、該流体組成物は冷却圧縮機に用いられるものである（上記記載１８−イ、ロ参照）ことから、上記刊行物１８には冷媒（１，１，１，２−テトラフルオロエタン）と冷凍機油（ポリエーテルポリオール及びアルカノール酸を有する多価アルコールから製造されるエステルを含む滑剤組成物）とを備えた冷却圧縮機が実質的に記載されているものと認められる。そして、上記エステルとして例示されている化合物（上記記載１８−ハ参照）及び実施例に記載されているエステルの具体例とその動粘度並びに上側溶液臨界温度の値（上記記載１８−ニ参照）からみて、上記刊行物１８に記載されたエステルは、本件発明１において特定される脂肪酸のエステル油に包含されるものであると認められ、さらに、上記刊行物１８に記載された１，１，１，２−テトラフルオロエタンが「水素化フッ素化炭素（ＨＦＣ）が主成分であり臨界温度が４０℃以上である冷媒」に相当することは明らかであることから、本件発明１と上記刊行物１８に記載された発明とは、「水素化フッ素化炭素（ＨＦＣ）が主成分であり臨界温度が４０℃以上である冷媒と、粘度が４０℃のとき２〜７０ｃＳｔ、１００℃のとき１〜９ｃＳｔであり、かつ上臨界温度が８０℃以上である脂肪酸のエステル油を基油とした冷凍機油とを備え、前記冷凍機油は、下記の一般式（１）乃至（５）で示される脂肪酸のエステル油の群から選ばれる少なくとも１種を含有し（但し、Ｒ２は炭素数５〜１２のアルキル基で、炭素数の異なる複数種を混合することができる）、かつ下記の一般式（１）乃至（５）で示される脂肪酸のエステル油のうち、Ｒ２の炭素数が５より小さい炭素数のものを含まない冷凍機油から成る
（Ｒ１・ＣＨ２）２・Ｃ・（ＣＨ２ＯＣＯＲ２）２ …（１）
Ｒ１・ＣＨ２・Ｃ・（ＣＨ２・ＯＣＯＲ２）３ …（２）
Ｃ・（ＣＨ２−ＯＣＯＲ２）４ …（３）
（Ｒ２・ＣＯＯＨ２Ｃ）３・Ｃ・ＣＨ２・Ｏ・ＣＨ２・Ｃ（ＣＨ２・ＯＣＯＲ２）３ …（４）
　
　
但し、Ｒ１：Ｈまたは炭素数１〜３のアルキル基
Ｒ３：炭素数１〜３のアルキル基
ｎ：０もしくは１〜５の整数」冷却圧縮機を備える点で一致するものである。
　しかしながら、本件発明１は「冷媒を圧縮する密閉型圧縮機と、冷媒を凝縮させる凝縮器と、冷媒を乾燥させる乾燥器と、冷媒を膨脹させる膨張機構と、冷媒を蒸発させる蒸発器と」を備え、さらに「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」冷凍装置に係るものであるのに対し、上記刊行物１８には、冷却圧縮機は実質的に記載されていると認められるものの、モーター等を含む冷却圧縮機の構成や冷凍機としてのその他の構成については全く記載されておらず、実質的にこれらが記載されているに等しいとする根拠もない。
  したがって、本件発明１は、密閉型圧縮機、凝縮器、乾燥器、膨張機構、及び蒸発器からなる冷凍機としての構成を特定し、かつ密閉型圧縮機のモータのエナメル被覆線を特定した点において上記刊行物１８に記載された発明とは明確に相違するものであるから、本件発明１は上記刊行物１８に記載された発明ではない。
　
〈請求項２ないし２４について〉
　本件請求項２ないし２４に係る発明は、いずれも「冷媒を圧縮する密閉型圧縮機（高圧容器方式のロータリ形圧縮機、低圧容器方式のレシプロ形圧縮機）と、冷媒を凝縮させる凝縮器と、冷媒を乾燥させる乾燥器と、冷媒を膨脹させる膨張機構と、冷媒を蒸発させる蒸発器と」を備え、さらに「密閉型圧縮機（高圧容器方式のロータリ形圧縮機、低圧容器方式のレシプロ形圧縮機）はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているものである。しかし、上述したように、上記の構成を備えている本件発明１は上記刊行物１８に記載された発明とは認められないことから、同様の理由により、本件請求項２ないし２４に係る発明もまた、上記刊行物１８に記載された発明とは認められない。
　
（４）特許法第２９条第２項について：
　本件発明１と、上記刊行物１８に記載された発明とを比較すると、上述したとおり両者は、本件発明１が「冷媒を圧縮する密閉型圧縮機と、冷媒を凝縮させる凝縮器と、冷媒を乾燥させる乾燥器と、冷媒を膨脹させる膨張機構と、冷媒を蒸発させる蒸発器と」を備え、さらに「前記密閉型圧縮機はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という冷凍装置としての構成を有するものであるのに対し、上記刊行物１８記載の発明は、冷凍装置としての具体的な構成を有していない点で相違している。
　そこで、上記相違点に挙げられた構成を、その他の刊行物の記載等を参照することによって当業者が容易に導き出すことができるものかどうか以下に検討する。
  まず、冷凍機全体の構成について検討するに、刊行物１には圧縮式の小形冷凍機の冷凍サイクルについての記述があり、基本的な冷凍サイクルとして、密閉形圧縮機、凝縮器、ドライヤー、膨張弁、蒸発機を備えたものが示されている（上記記載１−イ参照）。また、上記密閉型圧縮機内には、エナメル被覆線や絶縁フィルムを備えた電動機が内蔵されている（上記記載１−ハ参照）ことから、「冷媒を圧縮する密閉型圧縮機と、冷媒を凝縮させる凝縮器と、冷媒を乾燥させる乾燥器と、冷媒を膨脹させる膨張機構と、冷媒を蒸発させる蒸発器と」を備え、さらに「密閉型圧縮機はエナメル被覆線と絶縁フィルムとを備えたモータを有」する冷凍機の構成はこの出願前周知であると認められる。したがって、刊行物１８に記載された「圧縮冷却における使用のための流体組成物」を実際に使用するにあたって、冷凍機として上記の周知の構成を採用することは当業者が容易になし得ることである。
　次に、モータのエナメル被覆線について検討するに、刊行物１には、圧縮機内の電動機の絶縁材料として用いられるマグネットワイヤーの具体例が示されており（上記記載１−ト参照）、本件発明１において特定されているポリエステル線（ＰＥＷ）、上層ポリアミドイミド／下層ポリエステルイミド線（ＲＦＷ−Ｖ）、ポリアミドイミド線（ＡＩＷ）からなるエナメル被覆線、及びポリエチレンテレフタレートからなる絶縁フィルムも含まれている。しかし、刊行物１にはさらに、圧縮機内に内蔵された電動機の絶縁材料は、潤滑油と冷媒が共存する雰囲気中に長期間さらされるため、絶縁材料が冷媒や潤滑油に溶解したり、絶縁性能の低下がおこらないように、冷媒の種類毎に選択されるべきことが記載されており（上記記載１−ハ参照）、特にフロン系冷媒に関しては、Ｒ−１２及びＲ−２２と各種絶縁材料との適合性が検討されてはいるものの（上記記載１−ニ、ヘ参照）、本件発明１において用いられているフロン１３４ａに代表される特定の冷媒に適合する絶縁材料については何も記載されていない。また、冷凍機油の特性についても、モーターコイル、端子部等の絶縁を低下させない高い絶縁耐力を有するべき旨の一般的な記載があるのみで（上記記載１−チ参照）、本件発明１において用いられている特定の冷凍機油に適合する絶縁材料に関しては何も記載されていない。この点に関して他の刊行物の記載を検討すると、刊行物３には代替冷媒としてのＲ−１３４ａに適合するエステル系の冷凍機油が開発され、検討が進められていること、今後はコンプレッサ、冷凍機油を含めて総合的な冷凍システムが開発されるであろうことが記載されている（上記記載３−ロ参照）が、Ｒ−１３４ａ及びエステル系の冷凍機油に適合する絶縁材料までは示されておらず、刊行物１９にはＲ−１３４ａの冷媒系における物質適合性についての記述があり、冷凍機油については本件発明１で特定するタイプのエステル油が、絶縁材についてはポリエステルイミド或いは下層ポリエステル上層アミドイミドダブルコートのマグネットワイヤ被覆材がそれぞれ適合する旨の記載があるものの（第２１４、２１６頁参照）、本件発明１で特定するような被覆エナメル線を示唆するまでには至っていない。また、刊行物２、６、７、９、１０、１１、１７ａ、２０、２１、２３、２５にはエステル系の冷凍機油が記載されているが、特にＲ−１３４ａに代表される冷媒と共に用いる場合に、どのような絶縁材料を選択すべきかについては記載がない。さらに、刊行物１５にはポリエステル銅線、ポリエステルイミド−ポリアミドイミド銅線、ポリアミドイミド銅線が耐冷媒性に優れていること、刊行物１７ｂにはエステルイミド／アミドイミド（ＥＩ／ＡＩ）ダブルコートマグネティックワイヤーが水分を含むＰＡＧ中で使用できること、刊行物２２には下層ポリエステルイミド上層ポリアミドイミドダブルコート線が耐冷媒性に優れるため冷凍機器類に使用されること、刊行物２４にはポリアミドイミドオーバーコートポリエステルイミド線が冷媒Ｒ２２に対して耐冷媒性を有することがそれぞれ記載されてはいるが、いずれの刊行物においても、特にＲ−１３４ａに代表される冷媒、及び本件発明１で特定されるエステル系の冷凍機油に対する適合性については明らかにされていない。したがって、上記刊行物１〜７、９〜１１、１３、１５〜１７ａｂ、１９〜２８の記載を勘案したとしても、フロン１３４ａに代表される特定の冷媒及び本件発明１で特定されるエステル系の冷凍機油に適合する絶縁材料を特定することはできず、「前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という上記の構成を導き出すことはできない。
　なお、異議申立人らは、被覆エナメル線に係る上記の構成は、圧縮機内の電動機の絶縁材料として一般的に広く用いられているものが本件発明１で特定する冷媒及び冷凍機油の組合せにおいても適合することを単に確認した結果にすぎないものであると主張している。しかし、刊行物１にも記載されるように、絶縁材料は冷媒の種類別に選択されることが必要であること（上記記載１−ハ参照）、また、本件発明１の実施例２１において確認されているように、同じ冷媒でも組合せる冷凍機油が異なる場合は絶縁材料に対する影響も異なってくること（明細書段落【０１５４】〜【０１６５】参照）等を考慮すると、新たな冷媒や冷凍機油、あるいはこれらの組合せに適合する絶縁材料がそのように単純に決定できるとは認められず、さらに、刊行物等を詳細に検討しても、本件発明１において特定されている絶縁材料が、冷媒と冷凍機油のどのような組合せにおいても有効であることを示すような根拠、あるいは本件発明１で特定する冷媒と冷凍機油の組合せに適合する絶縁材料がこの出願前すでに検討されていたことを示すような根拠も見いだせないことから、異議申立人らのこのような主張は採用できない。
　そして本件発明１は、上記の構成を備えることによって、本件発明１で使用する冷凍機油と冷媒との共存下において、過酷な運転によっても絶縁材の電気的特性が劣化せず（絶縁破壊電圧保持率が極めて高い）、また、冷凍機油に対して安定（絶縁材が化学的に侵され難い）であるため長期信頼性に耐え、信頼性の高い冷凍装置の実現に大きく寄与するという明細書記載の効果を奏するものである。
　したがって、本件発明１は、上記刊行物１ないし７、９ないし１１、１３、１５ないし２８に記載された発明及び技術的事項に基づいて当業者が容易になし得た発明とは認められない。
　
〈請求項２ないし２４について〉
　本件請求項２ないし２４に係る発明は、いずれも「密閉型圧縮機（高圧容器方式のロータリ形圧縮機、低圧容器方式のレシプロ形圧縮機）はエナメル被覆線と絶縁フィルムとを備えたモータを有し、前記エナメル被覆線は、ポリエステル線（ＰＥＷ）、上層ポリアミドイミド／下層ポリエステルイミド線（ＲＦＷ−Ｖ）及びポリアミドイミド線（ＡＩＷ）のいずれか１種のエナメル被覆線である」という構成を備えているものである。しかし、上述したように、上記の構成を備えている本件発明１は上記刊行物１ないし７、９ないし１１、１３、１５ないし２８に記載された発明及び技術的事項に基づいて当業者が容易になし得た発明とは認められないことから、同様の理由により、本件請求項２ないし２４に係る発明もまた、上記刊行物１ないし７、９ないし１１、１３、１５ないし２８に記載された発明及び技術的事項に基づいて当業者が容易になし得た発明とは認められない。
　
（５）特許法第３６条について
　当審において通知した取消の理由及び異議申立人三菱電機株式会社の申立理由の趣旨は、本件明細書には一般式（５）で表される化合物を用いた場合の実施例及びその効果しか記載されていないため、明細書の記載が不明瞭であるというものである。しかし、本件特許明細書には一般式（１）〜（５）で示されるエステル油を用いる理由について明記されており（明細書段落【００６０】〜【００６９】参照）、また、実施例においても一般式（１）〜（５）で示されるエステル油の特性が具体的に示され、冷凍機油として用いた場合の効果についても十分に記載されているものと認められる。また、エナメル被覆線及び絶縁フィルムとの適合性については一般式（５）で示されるエステル油との適合性しか吟味されていないが、当審での審尋に対する回答書に添付された資料等によれば、一般式（５）以外のエステル油を用いた場合においても同等の効果が得られるものと理解でき、実施例においてエナメル被覆線及び絶縁フィルムと一般式（５）以外のエステル油との適合性についての効果を確認できる記述がないことのみをもって、明細書の記載が不備であるとすることはできない。
　
５．むすび
  以上のとおりであるから特許異議の申立ての理由及び証拠によっては本件請求項１ないし請求項２４に係る特許を取り消すことはできない。
　また、他に本件請求項１ないし請求項２４に係る発明についての特許を取り消すべき理由を発見しない。
　したがって、本件請求項１ないし請求項２４に係る発明の特許は、拒絶の査定をしなければならない特許出願に対してされたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月４日（２００２．１０．４）